(57)【要約】【課題】配信を受けたコンテンツを、より適切な音響設定で再生することができるようにする。【解決手段】路側装置からコンテンツの配信を受けて再生する車載装置において、コンテンツの再生を行うに際し、コンテンツが音響等を伴うマルチメディアコンテンツを含む場合、再生音の音響等に関する所定の設定値を所定の値に変更する設定変更手段（ステップＳ４）を設ける。また、マルチメディアコンテンツに付随し得る所定の属性情報の内容に対応付けられた、前記所定の設定値の値を属性対応値として記憶する属性対応値記憶手段を設け、コンテンツの再生を行うに際し、該コンテンツがマルチメディアコンテンツを含み、該マルチメディアコンテンツに対して前記属性情報が付随しており、かつ該属性情報の内容に対応付けられた属性対応値が設定値記憶手段において存在する場合には、該属性対応値に基づき、前記所定の設定値の変更を行う（ステップＳ４）ようにする。【選択図】図１６
2010109485.tif 000002
【特許請求の範囲】
【請求項１】
路側装置からコンテンツの配信を受けて該コンテンツを再生する車載装置であって、
前記配信を受けたコンテンツの再生を行うに際し、該コンテンツが音響、動画、又は画像を伴う所定のマルチメディアコンテンツを含む場合、再生音の音響、又は再生する動画若しくは画像の質に関する所定の設定値を所定の値に変更する設定変更手段を具備することを特徴とする車載装置。
【請求項２】
前記マルチメディアコンテンツに付随し得る所定の属性情報の内容に対応付けられた、前記所定の設定値の値を属性対応値として記憶する属性対応値記憶手段を備え、
前記設定変更手段は、前記配信を受けたコンテンツの再生を行うに際し、該コンテンツが前記マルチメディアコンテンツを含み、該マルチメディアコンテンツに対して前記属性情報が付随しており、かつ該属性情報の内容に対応付けられた属性対応値が前記設定値記憶手段において存在する場合には、該属性対応値に基づき、前記所定の設定値の変更を行うものであることを特徴とする請求項１に記載の車載装置。
【請求項３】
前記配信を受けたコンテンツに基づき、それに含まれる前記マルチメディアコンテンツのファイルを抽出する抽出手段と、
前記抽出手段により抽出されたファイルを、それがデジタル著作権管理システムにより保護されている場合には必要な認証を行ってから、又は保護されていない場合にはそのまま、所定の記憶領域において保存するファイル保存手段とを有することを特徴とする請求項２に記載の車載装置。
【請求項４】
前記記憶領域は、装置内の記憶領域、又は装置に接続可能な装置外部の記憶領域であることを特徴とする請求項３に記載の車載装置。
【請求項５】
前記ファイル保存手段は、前記ファイルの保存を、保存を行う旨のユーザによる指示を得た場合に行うものであることを特徴とする請求項３又は４に記載の車載装置。
【請求項６】
前記配信を受けたコンテンツに基づくファイルの抽出、及び該ファイルについての前記ファイル保存手段による保存は、該コンテンツの配信の受領時、又は該コンテンツの再生時に行われることを特徴とする請求項３〜５のいずれか１項に記載の車載装置。
【請求項７】
前記所定の属性情報は、アーティスト名、楽曲名、又はジャンル名であり、前記所定の設定値はイコライザ値であることを特徴とする請求項２〜６のいずれか１項に記載の車載装置。
【請求項８】
路側装置からコンテンツの配信を受けて該コンテンツを再生する車載装置におけるコンテンツ再生方法であって、
前記配信を受けたコンテンツの再生を行うに際し、該コンテンツが音響、動画、又は画像を伴う所定のマルチメディアコンテンツを含む場合、再生音の音響、又は再生する動画若しくは画像の質に関する所定の設定値を所定の値に変更する設定変更工程を具備することを特徴とするコンテンツ再生方法。
【発明の詳細な説明】
【技術分野】
【０００１】
本発明は、路側装置からコンテンツの配信を受ける車載装置、及び該車載装置におけるコンテンツ再生方法に関する。
【背景技術】
【０００２】
近年、通信メディアとしてＤＳＲＣ（Dedicated Short Range Communication）を利用した情報提供サービスが提案されている。この情報提供サービスにおいては、社団法人電子情報技術産業協会発行のＩＴＳ車載器標準規格書で規定されているＩＴＳ車載器に対し、所定のデータ形式に従って構成されるコンテンツが、ＤＳＲＣシステムに対応した路側機を介して配信される。
【０００３】
従来、前記車載器では、ＤＳＲＣ等を利用して路上に設置された路側無線装置と狭域無線通信を行い、当該路側無線装置を介してセンター装置から情報提供を受けることが可能となっている。すなわち、車両が路側無線装置の通信範囲内にある間のみ、車両の車載器と路側無線装置との双方向通信が可能となり、この間にセンター装置が路側無線装置を介して、地域情報（例えば周辺の店舗や医療機関の情報）や広告情報等の各種コンテンツ情報を配信するのである。
【０００４】
また、前記車載器では、路側無線装置から配信された各種コンテンツ情報を記憶することにより、路側無線装置と通信できない環境においても当該各種コンテンツ情報を再生することが可能になっている（特許文献１参照）。従来の前記車載器においては、配信されたコンテンツはすべて同一の音響設定のもとで再生されるようになっている。
【０００５】
なお、特許文献１には、ＤＳＲＣに関連した技術として、路側機から受信した情報の格納方法を運転者が設定することができるようにすることによって、受信した情報のうちの所望のものを運転者が後で再確認できるようにした車載器に関する技術が記載されている。
【０００６】
【特許文献１】特開２００７−１０９０３２号公報
【発明の開示】
【発明が解決しようとする課題】
【０００７】
しかしながら、上述従来のＩＴＳ車載器によれば、音声案内や音楽等のコンテンツをすべて同一の音響設定で再生するようにしているので、各コンテンツをその内容に適した音響設定で視聴することができないという問題がある。また、音楽や動画のコンテンツについては、そのアーティストやジャンル等に適した音響設定で視聴することができない。
【０００８】
また、過去にユーザが受信し、一度視聴した音楽、動画等の情報を再度視聴しようとする場合には、図１５中の遷移ボタン１４２を押下しながら、階層構造を辿り、目的のコンテンツまで遷移する必要があるので、操作が煩雑である。
【０００９】
また、コンテンツには著作権の問題で保護されているものもあるので、コンテンツ利用に制限がある場合もある。
【００１０】
本発明の目的は、かかる従来技術の問題点に鑑み、ＩＴＳ車載器において、配信を受けたコンテンツを、より適切な音響設定で再生することができるようにすることにある。
【課題を解決するための手段】
【００１１】
この目的を達成するため、第１の発明に係る車載装置は、路側装置からコンテンツの配信を受けて該コンテンツを再生する車載装置であって、前記配信を受けたコンテンツの再生を行うに際し、該コンテンツが音響、動画、又は画像を伴う所定のマルチメディアコンテンツを含む場合、再生音の音響、又は再生する動画若しくは画像の質に関する所定の設定値を所定の値に変更する設定変更手段を具備することを特徴とする。
【００１２】
第２の発明に係る車載装置は、第１発明において、前記マルチメディアコンテンツに付随し得る所定の属性情報の内容に対応付けられた、前記所定の設定値の値を属性対応値として記憶する属性対応値記憶手段を備え、前記設定変更手段は、前記配信を受けたコンテンツの再生を行うに際し、該コンテンツが前記マルチメディアコンテンツを含み、該マルチメディアコンテンツに対して前記属性情報が付随しており、かつ該属性情報の内容に対応付けられた属性対応値が前記設定値記憶手段において存在する場合には、該属性対応値に基づき、前記所定の設定値の変更を行うものであることを特徴とする。
【００１３】
第３の発明に係る車載装置は、第２発明において、前記配信を受けたコンテンツに基づき、それに含まれるマルチメディアコンテンツのファイルを抽出する抽出手段と、前記抽出手段により抽出されたファイルを、それがデジタル著作権管理システムにより保護されている場合には必要な認証を行ってから、又は保護されていない場合にはそのまま、所定の記憶領域において保存するファイル保存手段とを有することを特徴とする。
【００１４】
第４の発明に係る車載装置は、第３発明において、前記記憶領域は、装置内の記憶領域、又は装置に接続可能な装置外部の記憶領域であることを特徴とする。
【００１５】
第５の発明に係る車載装置は、第３又は第４発明において、前記ファイル保存手段は、前記ファイルの保存を、保存を行う旨のユーザによる指示を得た場合に行うものであることを特徴とする。
【００１６】
第６の発明に係る車載装置は、第３〜第５のいずれかの発明において、前記配信を受けたコンテンツに基づくファイルの抽出、及び該ファイルについての前記ファイル保存手段による保存は、該コンテンツの配信の受領時、又は該コンテンツの再生時に行われることを特徴とする。
【００１７】
第７の発明に係る車載装置は、第２〜第６のいずれかの発明において、前記所定の属性情報は、アーティスト名、楽曲名、又はジャンル名であり、前記所定の設定値はイコライザ値であることを特徴とする。
【００１８】
第８の発明に係るコンテンツ再生方法は、路側装置からコンテンツの配信を受けて該コンテンツを再生する車載装置におけるコンテンツ再生方法であって、前記配信を受けたコンテンツの再生を行うに際し、該コンテンツが音響、動画、又は画像を伴う所定のマルチメディアコンテンツを含む場合、再生音の音響、又は再生する動画若しくは画像の質に関する所定の設定値を所定の値に変更する設定変更工程を具備することを特徴とする。
【発明の効果】
【００１９】
本発明によれば、配信を受けたコンテンツを、より適切な音響設定、又は動画若しくは画像の質で再生することができる。
【発明を実施するための最良の形態】
【００２０】
図１は本発明の一実施形態に係る路車間ＤＳＲＣシステム１０の概略図である。路車間ＤＳＲＣシステム１０は、タウンカーライフナビによる情報提供サービスに利用され、そのサービスにおいては、タウンカーライフナビマルチコンテンツ形式のデータが用いられる。路側機１１は、サーバ１２と共に路側装置１５を構成し、有線又は無線でサーバ１２へ接続されている。サーバ１２は、さらに、インターネット等のネットワークを介して別のサーバとデータを送受自在になっている。路側機１１は、直径がほぼ数ｍ〜３０ｍのエリアに存在する自動車１３に搭載されているＩＴＳ車載器１７とは５．８ＧＨｚ帯の電波を使ってデータを送受する。ＩＴＳ車載器１７はＤＳＲＣ部１８及びナビ部１９を有している。
【００２１】
図２はデータ伝送態様の説明図である。マルチコンテンツ形式のダウンリンクでは、データをその種類に応じて分類し、分類ごとにＩＤコード（大区分ＩＤ）「００」、「０１」、「０２」、・・・を割り振っている。マルチコンテンツ形式のデータ伝送では、データが情報グループを単位に括られ、各情報グループは先頭にＩＤコードが「００」（以下、「ＩＤ＝００」のように記す。）の分類データをもつ。ＩＤ＝００の分類データは、その情報グループに含まれているＩＤにはどのようなものがあるかを示す構成情報となっている。
【００２２】
図３は情報グループの構成について各ＩＤが必須か任意かを示す図である。ＩＤ＝０、１、２は、各情報グループに必ず含めなければならない。ＩＤ＝３、４、５は、ＩＤ＝６０のみの情報提供の場合には情報グループに含める必要はないが、その他の情報提供の場合には、情報グループに必ず含める必要がある。その他のＩＤは情報グループに含めるか否かは任意である。
【００２３】
図４〜図７はダウンリンクで使用する各ＩＤに割り当てる分類表である。ＩＤ＝００は構成ＩＤ情報（各情報グループがどのようなＩＤを格納しているかを記述する領域）の分類となっている。ＩＤ＝０１は、事業者の分類となっており、サービス事業者コード（サービス事業者を特定できる事業者コード）、サービス事業者表示テキスト（ナビ表示用サービス事業社名(サービス名)テキスト情報）、及びサービス事業者表音文字列（ナビ発話用サービス事業社名(サービス名)表音文字列情報）を含む。
【００２４】
ＩＤ＝０２はコンテンツの分類となっており、企業コード（コンテンツの情報提供元を特定できるコード）、企業表示テキスト（ナビ表示用情報提供企業名テキスト情報）、企業表音文字列（ナビ発話用情報提供企業名表音文字列情報）、情報コード（コンテンツを特定できる情報コード）、情報表示テキスト（ナビ表示用コンテンツ内容テキスト情報）、情報表音文字列（ナビ発話用コンテンツ内容表音文字列情報）、及び嗜好データカテゴリー（情報が該当する情報カテゴリーを示すカテゴリーコード）を含む。
【００２５】
ＩＤ＝０３は、ＩＤ＝０２と同様に、コンテンツの分類となっており、即時再生／蓄積コード（受信後のコンテンツ再生動作を表すコード）、及び再生条件コード（情報提供エリアでのコンテンツ再生条件を示すコード）を含む。
【００２６】
ＩＤ＝０４は、有効期限の分類となっており、開始年月日時分秒（コンテンツの有効期限）、及び終了年月日時分秒（コンテンツの有効期限）を含む。ＩＤ＝０５は、提供時間の分類となっており、営業時間（コンテンツ提供元の営業時間）、及び情報提供時間（コンテンツ提供時間）を含む。
【００２７】
ＩＤ＝１０は、対象地点の分類となっており、対象地点座標（サービス提供可能な地点の緯度経度情報）、対象地点表示用テキスト（サービス名称(店舗名称等)）、提携駐車場情報（対象地点以外の提携駐車場情報）、アイコン表示画像データ（サービス提供可能な場所を表すアイコンのデータ）、表示用文字データ（サービスの説明用テキスト情報）、表示画像データ（サービスを表す静止画情報）、表音文字列データ（サービスを表す表音文字列情報）、圧縮音声データ（圧縮音声データ情報）、音声再生順（表音文字列と圧縮音声の再生順序を表す）、ビデオデータ（ビデオデータ情報）、及びＵＲＬ（サービスを表すＵＲＬ情報）を含む。
【００２８】
ＩＤ＝２０は、情報提供地点の分類となっており、計５個の情報提供地点について、情報提供中心座標（ポップアップ情報を再生する緯度経度情報）、情報提供エリア（ポップアップ情報を再生するエリアを定義する中心座標からの半径情報）、情報提供方向コード（ポップアップ情報を再生する情報提供方向情報）、情報提供道路種別（ポップアップ情報を再生する道路種別情報）、表示画像データ（ポップアップ再生する静止画のデータ）、表音文字列データ（ポップアップ再生する表音文字列情報、圧縮音声データポップアップ再生する圧縮音声のデータ）、及び音声再生順（ポップアップ再生する音声データの再生順番を表すコード）を含む。
【００２９】
ＩＤ＝３０は、遷移情報の分類となっており、計８個の次再生情報コード（画面遷移情報）を含む。ＩＤ＝４０は、詳細情報の分類となっており、計８個の各詳細情報について、表示用文字データ（ナビ表示用詳細情報テキスト情報）、及び発話用表音文字列（ナビ発話用詳細情報表音文字列情報）を含む。
【００３０】
ＩＤ＝５０は、駐車場情報の分類となっており、最大１５個の各駐車場について、駐車場ＩＤ（駐車場を特定できるＩＤ）、詳細情報（駐車場の動的詳細情報）、特記事項（駐車場の特記事項）を含む。
【００３１】
ＩＤ＝５１は、ナビ部１９に格納されている駐車場の静的情報を３次メッシュ単位で最大４メッシュ分更新することが可能になる。ＩＤ＝５１は、３次メッシュ数（更新する駐車場静的情報を含む３次メッシュ数を通知するもの）、１〜４の各メッシュについて、３次メッシュコード（更新する駐車場静的情報を含む３次メッシュコード）、３次メッシュバージョン情報（更新する駐車場静的情報が含まれる３次メッシュのバージョン情報）、３次メッシュ駐車場数（更新するメッシュに含まれる駐車場静的情報数）、３次メッシュ駐車場静的情報（更新する駐車場の静的情報）を含む。
【００３２】
ＩＤ＝６０は、運転支援の分類であり、運転支援画像データ（運転支援画像情報）、運転支援表音文字列（データ運転支援表音文字列情報）、運転支援圧縮音声（データ運転支援圧縮音声情報）、及び音声再生順（表音文字列と圧縮音声の再生順序を表す）が含まれる。
【００３３】
ＩＤ＝８０は、嗜好データの分類であり、計１２７個の各嗜好データのテーブルについて、嗜好データバージョン（嗜好データのテーブルのバージョン情報）、嗜好データテーブル（
嗜好データのテーブルの表示用テキスト情報）、表音文字列（嗜好データのテーブルの発話用表音文字列情報）、及び詳細情報（嗜好データのテーブルの詳細情報）が含まれる。
【００３４】
図８は路側装置１５−ＩＴＳ車載器１７間のトランザクションで実施される各機器間の通信及び処理を示している。路側機１１及びサーバ１２は路側装置１５を構成する。ＩＴＳ車載器１７はＤＳＲＣ部１８及びナビ部１９を有している。時間順に説明する。なお、路側機１１−ＤＳＲＣ部１８間の通信はＤＳＲＣの電波で行われ、路側機１１−サーバ１２間及びＤＳＲＣ部１８−ナビ部１９間の通信は通常、ケーブルで行われる。
【００３５】
ＩＴＳ車載器１７において電源が投入されるのに伴い、Ｓ１０では、ナビ部１９からＤＳＲＣ部１８へクライアントインフォメーションデータが書き込まれる。ＩＴＳ車載器１７を搭載する自動車１３が路側機１１との通信可能な距離（例：約３０ｍ）の電波到達エリアに進入（エリアイン）するのに伴い、Ｓ１１では、路側機１１−ＤＳＲＣ部１８間でＤＳＲＣ接続処理が実施される。
【００３６】
Ｓ１１のＤＳＲＣ接続処理が終了すると、Ｓ１２、Ｓ１３でＤＳＲＣ接続通知が行われる。Ｓ１２の接続通知は路側機１１からサーバ１２へのものであり、Ｓ１３の接続通知はＤＳＲＣ部１８からナビ部１９へのものである。Ｓ１４では、クライアントインフォメーションがＤＳＲＣ部１８から路側機１１を経てサーバ１２へ通知される。
【００３７】
サーバ１２は、ＤＳＲＣ部１８からのクライアントインフォメーション通知に基づきＩＴＳ車載器１７のユーザが会員か非会員かを判別したり、ＩＴＳ車載器１７でコンテンツを適正に再生するためのＩＴＳ車載器１７のハードウェア情報を知得する。Ｓ１８では、サーバ１２から路側機１１及びＤＳＲＣ部１８を経てナビ部１９へＷｅｌｃｏｍｅ画面等のコンテンツを送信する。該コンテンツはマルチコンテンツフォーマットで編成されている。ナビ部１９は、マルチコンテンツフォーマットからサービス事業者を判断する。
【００３８】
サーバ１２は、Ｓ１８後、ナビ部１９がアップリンク情報をＤＳＲＣ部１８に書き込むまで、Ｓ１９でＤＳＲＣ部１８に対して定期的にポーリングを行う。Ｓ２０では、ナビ部１９は、該サービス事業者の会員であれば、アップリンク情報をＤＳＲＣ部１８に書き込むのに対し、会員でなければ、何もしない。
【００３９】
Ｓ２４では、サーバ１２は、路側機１１及びＤＳＲＣ部１８を経由してデフォルトのコンテンツ（例：Ｗｅｌｃｏｍｅ画面）をナビ部１９へ送る。Ｓ２９では、サーバ１２は、ＤＳＲＣ部１８に対してメモリアクセスポーリングを実施する。これに対して、Ｓ３０では、ＤＳＲＣ部１８は、ユーザが会員であれば、アップリンク情報をサーバ１２へ通知する。
【００４０】
Ｓ３３では、サーバ１２は、アップリンク情報から取得した会員情報に基づき会員趣向に適した蓄積型コンテンツをマルチコンテンツフォーマット（図２）で編成してＩＴＳ車載器１７へ配信する。後述するように、路側装置１５は、Ｓ３３の期間中、蓄積型コンテンツの配信を１回以上、中断して、即時再生型コンテンツの配信を割込ませる。Ｓ３４では、蓄積型コンテンツの配信終了を通知する。ＩＴＳ車載器１７を搭載する自動車１３は、配信終了に伴い路側機１１との通信エリアから退出する。
【００４１】
図９はＩＴＳ車載器１７から路側装置１５へ送られるアップリンク情報のデータ説明図である。アップリンク情報は、複数のタグで送られる。タグ１には、サービス事業者コード、目的地（緯度経度）、経由地（緯度経度）１〜５、累計走行距離、嗜好ジャンルデータバージョン、嗜好ジャンルデータ、会員情報１〜８が含められる。タグ２には、サービス事業者コード、過去立寄り地（緯度経度）１〜４１が含められる。タグ３には、サービス事業者コード、過去立寄り地（緯度経度）４２〜８２が含められる。
【００４２】
タグ４には、サービス事業者コード、受信／再生履歴（受信情報コード及び再生識別フラグ）１〜１２３が含められる。タグ５には、サービス事業者コード、受信／再生履歴（受信情報コード及び再生識別フラグ）１２４〜２４６が含められる。
【００４３】
図１０はＩＤ＝８０の嗜好データの一例をテーブル表現した説明図である。嗜好データは、嗜好データ番号、嗜好データ表示用テキスト、嗜好データ表示用ネスト、嗜好データ対象識別子、嗜好データデフォルト値、表音文字列により構成される。嗜好データ番号は、０〜１２７の最大、計１２８個存在し、サービス業者が各データ番号の項目を自由に設定することができる。１２８の項目の内、最大９６項目がＳ３０（図４）でＩＴＳ車載器１７から路側装置１５へアップリンク情報として通知される。
【００４４】
アップリンク情報として通知される９６項目中、１２項目は、公共情報提供サービス目的に利用され、ＤＳＲＣ通信において情報提供を行う際にはデフォルトで配信する情報項目となっている。図１０の嗜好データテーブルにおいて、表示用ネストは、各項目（図１０のデータ番号に対応する。）の階層を意味し、大きい数値ほど、下の階層を意味している。対象識別子は、それが「０」となっている項目は、ナビ部１９における嗜好データのチェック付け画面（後述の図１１）においてチェック対象となっていないことを意味し、それが「１」となっている項目は、該チェック付け画面においてチェック対象となっていることを意味する。デフォルト値は、それが「０」となっている項目は、チェック付けの初期画面にチェック無しで表示することを意味し、それが「１」となっている項目は、チェック付けの初期画面にチェック有りで表示することを意味する。
【００４５】
図１１は路側装置１５から嗜好データを受信したＩＴＳ車載器１７がナビ部１９の表示器に表示するチェック付けの画面の一例である。ユーザはスクロールバー２３をドラッグすることにより画面を上下方向へスクロールすることができる。図１１において、ユーザがオンボタンをクリックすると、チェックを付けたことになり、オフボタンをクリックすると、チェックを外したことになる。各項目において、「オン」及び「オフ」の内、字体が斜体になっている方をユーザが選択したことを意味している。受信した嗜好データのデフォルト値が「０」（例：図１０のバーゲン情報及びクーポン情報）である項目はオフ（チェック無し）となっており、また、受信した嗜好データのデフォルト値が「１」（例：図１０の駐車場情報）である項目はオン（チェック有り）となっている。
【００４６】
図１２は路側機１１の構成を示すブロック図である。同図に示すように、路側機１１は必要な処理を行い、路側機１１の各部を制御する制御部１１１、制御部１１１が実行するプログラム等を記憶するＲＯＭ１１２、制御部１１１が使用するＲＡＭ１１３、制御部１１１が補助記憶装置として使用する記憶装置１１４、制御部１１１がＩＴＳ車載器１７との間でＤＳＲＣ通信を行うための無線通信部１１５、及び制御部１１１がサーバ１２との間でＩＴＳ通信網（高度道路交通システム通信網）２０を介して通信を行うための通信制御部１１６を備える。
【００４７】
図１３はＩＴＳ車載器１７の構成を示すブロック図である。同図に示すように、ＩＴＳ車載器１７は、必要な処理を行い、ＩＴＳ車載器１７の各部を制御する制御部１７１、制御部１７１が実行するプログラム等を記憶するＲＯＭ１７２、制御部１７１が処理に際して使用するＲＡＭ１７３、制御部１７１が補助記憶装置として使用する記憶装置１７４、制御部１７１が無線通信を行うための通信部１７５、制御部１７１に対して操作入力により指示を与えるための操作部１７６、制御部１７１がユーザに対して通知する情報を表示するための表示部１７７、ユーザが制御部１７１に対して音声入力により指示を与えるためのマイク１７８、制御部１７１がユーザに対し音声出力により情報を通知するためのスピーカ１７９、マイク１７８及びスピーカ１７９と、制御部１７１との間に介在し、音声認識や音声合成等の処理を行う音声処理部１８０、並びに制御部１７１と、センサ群１８１との間に介在し、センサ群１８１からの出力を制御部１７１に受け渡す入出力装置１８２を備える。
【００４８】
通信部１７５は、ＧＰＳ衛星から送出される電波を受信して測位演算を実行し、測位情報を出力するＧＰＳモジュール１７５ａ、及び路側機１１１との間でＤＳＲＣ通信を行うためのＤＳＲＣモジュールを備える。センサ群１８１は車速センサ、ジャイロセンサ、パーキングセンサ等により構成される。制御部１７１は記憶装置１７４に記憶されている地図データベースを参照し、ＧＰＳモジュール１７５ａやセンサ群１８１からの情報に基づき、ナビゲーション機能も営む。
【００４９】
図１４はＩＴＳ車載器１７が配信を受けるコンテンツの「対象地点情報」（ＩＤ＝１０）に含まれる項目有無情報のフォーマットを示す。この項目有無情報は、「対象地点情報」おいて設定可能な各項目についての設定の有無を示す情報である。同図に示すように、「対象地点情報」には「提携駐車場」、「ＵＲＬ」、「ビデオ」、「圧縮音声」、「表音文字列」、「表示用画像」、「表示用文字」、「対象地点」、及び「アイコン」の各データが設定可能であり、項目有無情報はこれらの項目についての設定の有無を表している。つまり、各データについて、「有無フラグ」が「０」であれば、そのデータは設定されておらず、「１」であれば設定されていることを示す。
【００５０】
「マルチメディア」の項目についての「有無フラグ」（以下、「マルチメディアフラグ」という。）が「１」の場合、その「対象地点情報」はマルチメディアファイルを含んでいることを意味する。ただし、ＩＤ＝１０の場合に限り、マルチメディアフラグが「１」の場合、「表示用画像」は音楽ＣＤのジャケット写真であり、「圧縮音声」はその楽曲であり、「表示用文字」はアーティスト名及び楽曲名であることを表す。あるいは「表示用画像」は「ビデオ」のサムネイルであり、「ビデオ」はＰＶ（プロモーションビデオ）などの動画であり、「表示用文字」はアーティスト名及び楽曲名であることを表す。マルチメディアファイルとしては、この場合、「表示用画像」のデータにより構成される画像ファイルや、「圧縮音声」のデータにより構成されるオーディオファイルや、「ビデオ」のデータにより構成されるビデオファイルが該当する。
【００５１】
「表示用画像」のデータ形式としてはＪＰＧや、ＧＩＦ、ＰＮＧ、ＢＭＰが該当する。「圧縮音声」のデータ形式としてはＩＭＡ−ＡＤＰＣＭや、ＭＰ３、ＡＡＣ、ＣＥＬＰ、ＰＣＭが該当する。「ビデオ」のデータ形式としてはＭＰＥＧ−４や、ＷＭＶ，ＭＯＶ、Ｆｌａｓｈが該当する。
【００５２】
ＩＴＳ車載器１７の記憶装置１７４には、このような音響を伴うマルチメディアコンテンツが有し得る所定の属性情報の内容に対応付けられた、再生音の音響に影響を与える設定値の値が記憶されている。音響を伴うマルチメディアコンテンツとしては、たとえば、上記「表示画像」及び「圧縮音声」のデータにより構成されるものや、「ビデオ」のデータにより構成されるものが該当する。所定の属性情報としては、たとえばアーティスト名や、楽曲名、ジャンル名が該当する。再生音の音響に影響を与える設定値としては、たとえばイコライザ値やリバーブ値が該当する。そしてＩＴＳ車載器１７においては、配信を受けたコンテンツのマルチメディアフラグが「１」である場合には、該コンテンツの再生に際し、そのコンテンツに係るアーティスト名や、楽曲名、ジャンルに応じた音響設定を用いるようにしている。
【００５３】
ＩＴＳ車載器１７においては、また、ダウンリンクによりコンテンツの配信を受ける際や、配信を受けたコンテンツを再生する際に、コンテンツのデータからマルチメディアファイルを抽出して保存し、後で一般的なコンテンツ再生用のアプリケーションソフトによって再生することができるようにしている。
【００５４】
図１５はＩＴＳ車載器１７の表示部１７７において表示されるコンテンツの画面の一例を示す。図中の１４１は当該コンテンツの「対象地点情報」（ＩＤ＝１０）中の「表示画像データ」に基づいて表示された部分、１４２は該コンテンツの「遷移情報」（ＩＤ＝３０）における「次再生情報コード１」〜「次再生情報コード８」に基づいて生成された遷移ボタンである。「次再生情報コード１」〜「次再生情報コード８」には当該コンテンツの次に再生可能なコンテンツの「情報コード」（ＩＤ＝０２）が８つまで設定可能となっている。つまり、「情報コード」毎にコンテンツが存在するので、次に再生されるコンテンツも「情報コード」により特定される。遷移ボタン１４２は「情報コード」が設定されており、かつその「情報コード」により特定されるコンテンツが記憶装置１７４内に存在する「次再生情報コード１」〜「次再生情報コード８」の数だけ、順に「１」、「２」、・・・の番号を付随させながら表示される。図１４の例では、「次再生情報コード１」から「次再生情報コード４」までに「情報コード」が設定され、かつ対応するコンテンツが存在するので、「１」〜「４」の番号が付された４つの遷移ボタン１４２が表示されている。
【００５５】
上述の表示部分１４１において表示されている「１．くらし情報」、「２．お店の情報」、「３．ロードサイドサービス」、及び「４．駐車場案内」はそれぞれ上述の「１」〜「４」の番号が付された各遷移ボタン１４２を押下した場合に再生される次のコンテンツの概要を示すものとなっている。つまり、このように表示部分１４１の表示内容と各遷移ボタン１４２とが対応するように、「表示画像データ」（ＩＤ＝１０）及び「次再生情報コード１」〜「次再生情報コード８」（ＩＤ＝３０）が、当該コンテンツにおいて設定されている。
【００５６】
遷移ボタン１４２のいずれかが押下されると、ＩＴＳ車載器１７は、当該遷移ボタン１４２に対応する「次再生情報コード１」〜「次再生情報コード４」のいずれかの設定内容と同一の「情報コード」（ＩＤ＝０２）を有するコンテンツを検索し、そのコンテンツを再生する。つまり、検索されたコンテンツの対象地点情報（ＩＤ＝１０）中の「表示画像データ」及び「遷移情報」（ＩＤ＝３０）が設定されていれば、これらの設定内容に基づく画面に遷移する。このようにして、遷移情報（ＩＤ＝３０）の設定内容に従い、コンテンツの画面を順次遷移させながら、各コンテンツを再生させることができるようになっている。その際、再生されるコンテンツのマルチメディアフラグが「１」であれば、「圧縮音声データ」（ＩＤ＝１０）に基づき、楽音が再生されたり、「ビデオデータ」（ＩＤ＝１０）に基づき、ビデオが再生されたりすることになる。
【００５７】
図１６はＩＴＳ車載器１７におけるコンテンツ再生処理を示すフローチャートである。この処理においては、上述のようにアーティスト名等に応じた音響設定を用いるようにしている。処理を開始すると、ＩＴＳ車載器１７は、まず、ステップＳ１において、再生するコンテンツの「対象地点情報」（ＩＤ＝１０）の項目有無情報におけるマルチメディアフラグが「１」であるかどうかを判定する。「１」であると判定した場合には、ステップＳ２において、「対象地点情報」（ＩＤ＝１０）における「表示用文字データ」を抽出する。
【００５８】
次に、ステップＳ３において、「表示用文字データ」におけるアーティスト名に対して関連付けられたイコライザ設定が登録されているか否かを判定する。このようなイコライザ設定の登録は、ユーザの指示に基づき、予め行われたものである。イコライザ設定が登録されていると判定した場合には、ステップＳ４において、そのイコライザ設定となるようにＩＴＳ車載器１７におけるイコライザ設定を変更し、ステップＳ７へ進む。登録されていないと判定した場合には、ステップＳ５において、「対象地点情報」（ＩＤ＝１０）中の「圧縮音声データ」又は「ビデオデータ」により構成されるファイルのタグ情報中にジャンル情報が存在するか否かを判定する。ジャンル情報が存在しないと判定した場合にはステップＳ７へ進む。存在すると判定した場合にはステップＳ４において、該ジャンル情報に関連付けられたイコライザ設定が登録されているか否かを判定する。このようなイコライザ設定の登録は、ユーザの指示に基づき、予め行われたものである。イコライザ設定が登録されていると判定した場合にはステップＳ４においてそのイコライザ設定となるようにＩＴＳ車載器１７のイコライザ設定を変更し、ステップＳ７へ進む。
【００５９】
ステップＳ７では、当該コンテンツの再生処理を開始する。次に、ステップＳ８において、当該コンテンツの再生が終了するのを待機する。再生が終了すると、ステップＳ９においてイコライザ設定を元に戻し、図１６の処理を終了する。
【００６０】
一方、ステップＳ１においてマルチメディアフラグは「１」ではないと判定した場合にはステップＳ１０へ進み、当該コンテンツの再生処理を開始する。次に、ステップＳ１１において、当該コンテンツの再生が終了するのを待機する。再生が終了すると、図１６の処理を終了する。
【００６１】
本実施形態によれば、コンテンツの再生に際し、マルチメディアフラグが「１」の場合には「表示用文字データ」で示されるアーティストに対応付けられたイコライザ設定、又は「圧縮音声データ」若しくは「ビデオデータ」で構成されたファイルのタグ情報におけるジャンル情報に対応付けられたイコライザ設定を適用して再生を行うようにしたため、再生内容に適したイコライザ設定により再生を行うことができる。
【００６２】
図１７はＩＴＳ車載器１７においてコンテンツの配信を受ける際の処理を示すフローチャートである。この処理においては、上述のように、配信を受けたコンテンツから、マルチメディアファイルを一般的なアプリケーションソフトによって再生可能な形式のファイルとして抽出し、保存するようにしている。処理を開始すると、ＩＴＳ車載器１７は、まず、ステップＳ２１において、コンテンツを受信するダウンリンクが終了するのを待機する。ダウンリンクの終了を検出すると、ステップＳ２２において、当該コンテンツの「対象地点情報」（ＩＤ＝１０）における「項目有無情報」のマルチメディアフラグが「１」であるかどうかを判定する。「１」ではないと判定した場合には、図１７の処理を終了する。
【００６３】
マルチメディアフラグが「１」であると判定した場合にはステップＳ２３に進み、当該コンテンツの「対象地点情報」（ＩＤ＝１０）からマルチメディアファイルを抽出する。マルチメディアファイルの抽出は、「表示画像データ」や、「圧縮音声データ」、「ビデオデータ」に基づいて行われる。抽出されたマルチメディアファイルは、ＪＰＧ、ＭＰ３、ＭＰＥＧ−４等のファイル形式を有しており、一般のアプリケーションソフトにより再生することができる。次に、ステップＳ２４において、著作権複製情報を抽出し、該ファイルに対しＤＲＭ（デジタル著作権管理）システムによる保護が施されているかどうかに応じ、必要な認証を行う。次に、ステップＳ２５において、抽出したマルチメディアファイルを、記憶装置１７４におけるファイル管理領域に保存し、図１７の処理を終了する。
【００６４】
これによれば、過去に配信を受けて保存されているコンテンツに含まれる音楽や動画を再生したい場合、コンテンツの配信を行うサービス事業者によって決定され、図１５において例示されるような遷移ボタンを経て構成される階層構造を辿る必要なく、ＩＴＳ車載器１７が搭載する一般のアプリケーションソフト等により、再生したい音楽や動画のマルチメディアファイルをファイル管理領域から直接的に検索し、再生させることができる。また、ファイル管理領域に保存されているマルチメディアファイルを、並べ替えて表示して検索したりする等により、楽曲や動画の管理や再生操作を容易化することができる。
【００６５】
図１８はＩＴＳ車載器１７において保持しているコンテンツを再生するときの処理を示すフローチャートである。上述図１７の処理では、ダウンリンクによりコンテンツの配信を受ける際に、そのコンテンツを対象として処理を行うようにしているが、図１８の処理ではこの代わりに、図１５における遷移ボタン１４２の押下等によって指示されたコンテンツを再生する際に、そのコンテンツを対象として同様の処理を行うようにしている。
【００６６】
すなわち、処理を開始すると、ＩＴＳ車載器１７は、まずステップＳ３１において、指示されたコンテンツの再生を行う。この後、そのコンテンツを対象として、ステップＳ３２〜Ｓ３５において、図１７のステップＳ２２〜Ｓ２５と同様にして、マルチメディアフラグが「１」の場合には、マルチメディアファイルを抽出し、必要な認証の後、ファイル管理領域に保存して、図１８の処理を終了する。これによっても、図１８の処理の場合と同様の効果を得ることができる。
【００６７】
図１９は図１７の処理の変形例に係るフローチャートである。図１７の処理では抽出したマルチメディアファイルを記憶装置１７４のファイル管理領域に保存するようにしているが、この代わりに図１９の処理では、抽出したマルチメディアファイルをＵＳＢメモリ等の装置外部の記憶領域に保存するようにしている。他の点については図１７の処理の場合と同様である。
【００６８】
すなわち処理を開始すると、ＩＴＳ車載器１７はまず、ステップＳ４１において、コンテンツを受信するダウンリンクが終了するのを待機する。ダウンリンクの終了を検出すると、ステップＳ４２においてＩＴＳ車載器１７に対し外部の記憶領域が接続されているか否かを判定する。接続されていないと判定した場合には図１９の処理を終了する。接続されていると判定した場合にステップＳ４３に進み、当該コンテンツの「対象地点情報」（ＩＤ＝１０）における「項目有無情報」のマルチメディアフラグが「１」であるかどうかを判定する。「１」ではないと判定した場合には図１９の処理を終了する。
【００６９】
マルチメディアフラグが「１」であると判定した場合にはステップＳ４４及び４５において、図１７のステップＳ２３及びＳ２４の場合と同様にして、当該コンテンツからマルチメディアファイルを抽出し、必要な認証を行う。次に、ステップＳ４６において、当該マルチメディアファイルを接続されている外部の記憶領域に保存することが可能かどうかを判定する。可能であると判定した場合には、ステップＳ４７において、当該マルチメディアファイルを外部の記憶領域に保存する。保存可能でないと判定した場合には、図１９の処理を終了する。
【００７０】
これによれば、図１７の処理の場合と同様の効果を奏する。また、外部記憶領域としてのＵＳＢメモリ等を他のポータブルプレーヤ等に接続することにより、ＵＳＢメモリ等に保存されているマルチメディアファイルを他のポータブルプレーヤ等においても再生することができる。
【００７１】
図２０は図１８の処理の変形例に係るフローチャートである。図１８の処理では抽出したマルチメディアファイルを記憶装置１７４のファイル管理領域に保存するようにしているが、この代わりに図２０の処理では、抽出したマルチメディアファイルを装置外部の記憶領域に保存するようにしている。他の点については図１８の処理の場合と同様である。
【００７２】
すなわち、処理を開始すると、ＩＴＳ車載器１７は、まずステップＳ５１において、指示されたコンテンツの再生を行う。この後、このコンテンツを対象として、ステップＳ５２〜Ｓ５７において、図１９のステップＳ４２〜Ｓ４５と同様にして、マルチメディアフラグが「１」の場合には、マルチメディアファイルを抽出し、必要な認証を行った後に、外部の記憶領域に保存し、図２０の処理を終了する。これによっても、図１９の処理の場合と同様の効果を得ることができる。
【００７３】
図２１は図１７の処理の別の変形例に係るフローチャートである。この処理は、図１７の処理に対し、マルチメディアファイルを保存するかどうかをユーザに選択させる処理を追加したものである。すなわち処理を開始すると、ＩＴＳ車載器１７は、まず、ステップＳ６１において、コンテンツを受信するダウンリンクが終了するのを待機する。ダウンリンクの終了を検出すると、ステップＳ６２において、当該コンテンツの「対象地点情報」（ＩＤ＝１０）における「項目有無情報」のマルチメディアフラグが「１」であるかどうかを判定する。「１」ではないと判定した場合には図２１の処理を終了する。
【００７４】
マルチメディアフラグが「１」であると判定した場合にはステップＳ６３及びＳ６４において、図１７のステップ２３及びＳ２４の場合と同様にして、マルチメディアファイルを抽出し、必要な認証を行う。次に、ステップＳ６５において、マルチメディアファイルを保存するかどうかの指示操作を受け入れるための操作ボタンを表示する。
【００７５】
図２２はこの操作ボタンを表示した画面の一例を示す。図中の２２１はマルチメディアファイルをファイル管理領域へ保存する指示を行うための保存ボタン、２２２は上位のコンテンツの画面に戻るための戻りボタン、２２３は当該コンテンツの「対象地点情報」（ＩＤ＝１０）における「表示用文字データ」に基づいて表示された文字列、２２４は該「対象地点情報」における「表示画像データ」に基づいて表示された静止画である。ユーザは保存ボタン２２１を押下することにより、マルチメディアファイルを保存する旨の指示をＩＴＳ車載器１７に対して与え、戻りボタン２２２を押下することによってマルチメディアファイルを保存することなく上位のコンテンツ画面に遷移する旨の指示を与えることができるようになっている。
【００７６】
次に、ステップＳ６６において、保存ボタン２２１又は戻りボタン２２２の押下を受け入れて、いずれのボタンが押下されたかを判定する。保存ボタン２２１が押下されたと判定した場合には、ステップＳ６７へ進み、マルチメディアファイルを記憶領域１７４のファイル管理領域に保存して、図２１の処理を終了する。戻るボタン２２２が押下されたと判定した場合には、図２１の処理を終了する。この場合、上位のコンテンツ画面に遷移することになる。
【００７７】
これによれば、図１７の処理の場合と同様の効果を得ることができる。また、保存するマルチメディアファイルをユーザが決定することができる。したがって、ファイル管理領域に保存されるマルチメディアファイルをユーザが決定したものに限定し、ファイル管理領域における記憶領域の節約や検索の迅速化を図ることができる。
【００７８】
図２３は図１８の処理の別の変形例に係るフローチャートである。この処理は、図１８の処理に対し、マルチメディアファイルを保存するかどうかをユーザに選択させる処理を追加したものである。すなわち、処理を開始すると、ＩＴＳ車載器１７は、まずステップＳ７１において、指示されたコンテンツの再生を行う。この後、このコンテンツを対象とし、ステップＳ７２〜Ｓ７７において、図２１のステップＳ６２〜Ｓ６７と同様にして、マルチメディアフラグが「１」の場合には、マルチメディアファイルを抽出し、必要な認証を行った後、ユーザの指示に基づいてファイル管理領域に保存し、図２３の処理を終了する。これによれば、図２１の場合と同様の効果を得ることができる。
【００７９】
図２４は図１９の処理の変形例に係るフローチャートである。この処理は、図１９の処理に対し、マルチメディアファイルを保存するかどうかをユーザに選択させる処理を追加したものである。すなわち処理を開始すると、ＩＴＳ車載器１７は、ステップＳ８１〜Ｓ８６において、図１９のステップＳ４１〜Ｓ４６と同様の処理を行う。そして、ステップＳ８６において保存可能であると判定した場合、ステップＳ８７において、マルチメディアファイルを保存するかどうかの指示操作を受け入れるための操作ボタンを表示する。
【００８０】
図２５はこの操作ボタンを表示した画面の一例を示す。図中の２５１はマルチメディアファイルを外部の記憶領域であるＵＳＢメモリへ保存する指示を行うための保存ボタン、２５２は上位のコンテンツの画面に戻るための戻りボタン、２５３は当該コンテンツの「対象地点情報」（ＩＤ＝１０）における「表示用文字データ」に基づいて表示された文字列、２５４は該「対象地点情報」における「表示画像データ」に基づいて表示された静止画である。ユーザは保存ボタン２５１を押下することにより、マルチメディアファイルを保存する旨の指示をＩＴＳ車載器１７に対して与え、戻りボタン２５２を押下することによってマルチメディアファイルを保存することなく上位のコンテンツ画面に遷移する旨の指示を与えることができるようになっている。
【００８１】
次に、ステップＳ８８において、保存ボタン２５１又は戻りボタン２５２の押下を受け入れて、いずれのボタンが押下されたかを判定する。保存ボタン２５１が押下されたと判定した場合には、ステップＳ８９へ進み、マルチメディアファイルをＵＳＢメモリに保存して、図２４の処理を終了する。戻るボタン２５２が押下されたと判定した場合には、図２４の処理を終了する。この場合、上位のコンテンツ画面に遷移することになる。
【００８２】
これによれば、図１９の処理の場合と同様の効果を得ることができる。また、保存するマルチメディアファイルをユーザが決定することができる。したがって、外部の記憶領域に保存されるマルチメディアファイルをユーザが決定したものに限定し、外部の記憶領域における記憶容量の節約や、所望のマルチメディアファイルについての検索の迅速化を図ることができる。
【００８３】
図２６は図２０の処理の変形例に係るフローチャートである。この処理は、図２０の処理に対し、マルチメディアファイルを保存するかどうかをユーザに選択させる処理を追加したものである。すなわち、処理を開始すると、ＩＴＳ車載器１７は、まずステップＳ９１において、指示されたコンテンツの再生を行う。この後、ステップＳ９２〜Ｓ９９において、図２４のステップＳ８２〜Ｓ８９と同様の処理を行い。図２３の処理を終了する。これによれば、図２４の処理の場合と同様の効果を得ることができる。
【００８４】
なお、本発明は上述実施形態に限定されることなく、適宜変形して実施することができる。たとえば、上述においては、マルチメディアファイルとして「対象地点情報」（ＩＤ＝１０）における「表示画像データ」や、「圧縮音データ、「ビデオデータ」に基づくものを抽出するようにしているが、さらに、「情報提供地点１」〜「情報提供地点５」（ＩＤ＝２０）における「圧縮音声データ」等に基づくものを抽出するようにしてもよい。
【００８５】
また、上述においては、テンツの再生に際し、該コンテンツが音響を伴う所定のマルチメディアコンテンツを含む場合、該コンテンツに付随する属性情報に対応する再生音の音響に関する設定値に基づき、再生音の音響に関する設定を変更するようにしているが、この代わりに、又はこれに加え、該コンテンツが動画若しくは画像を伴う場合、該コンテンツに付随する属性情報に対応する動画若しくは画像の質に関する所定の設定値に基づき、再生する動画若しくは画像の質に関する設定を変更するようにしてもよい。動画若しくは画像の質に関する所定の設定値としては、たとえば、コントラストや解像度に関する設定値が該当する。
【図面の簡単な説明】
【００８６】
【図１】本発明の一実施形態に係る路車間ＤＳＲＣシステムの概略図である。
【図２】タウンカーライフナビマルチコンテンツ形式のデータ伝送態様の説明図である。
【図３】タウンカーライフナビマルチコンテンツデータにおける情報グループの構成について各ＩＤが必須か任意かを示す図である。
【図４】タウンカーライフナビマルチコンテンツデータの各ＩＤに割り当てられた内容を示す分類表である。
【図５】図４の表の続きを示す図である。
【図６】図５の表の続きを示す図である。
【図７】図６の表の続きを示す図である。
【図８】路側装置及びＩＴＳ車載器間のトランザクションで実施される各機器間の通信及び処理を示す図である。
【図９】ＩＴＳ車載器から路側装置へ送られるアップリンク情報のデータ説明図である。
【図１０】タウンカーライフナビマルチコンテンツデータにおけるＩＤ＝８０の嗜好データの一例をテーブル表現した説明図である。
【図１１】路側装置から嗜好データを受信したＩＴＳ車載器がナビ部の表示器に表示するチェック付けの画面の一例を示す図である。
【図１２】図１のシステムにおける路側機の構成を示すブロック図である。
【図１３】図１のシステムにおけるＩＴＳ車載器の構成を示すブロック図である。
【図１４】タウンカーライフナビマルチコンテンツデータにおける「対象地点情報」（ＩＤ＝１０）に含まれる項目有無情報のフォーマットを示す図である。
【図１５】図１３のＩＴＳ車載器において表示されるコンテンツ画面の一例を示す図である。
【図１６】図１３のＩＴＳ車載器におけるコンテンツ再生処理を示すフローチャートである。
【図１７】図１３のＩＴＳ車載器においてコンテンツの配信を受ける際の処理を示すフローチャートである。
【図１８】図１３のＩＴＳ車載器において保持しているコンテンツを再生するときの処理を示すフローチャートである。
【図１９】図１７の処理の変形例に係るフローチャートである。
【図２０】図１８の処理の変形例に係るフローチャートである。
【図２１】図１７の処理の別の変形例に係るフローチャートである。
【図２２】図２１の処理で表示される操作ボタンを含む画面の一例を示す図である。
【図２３】図１８の処理の別の変形例に係るフローチャートである。
【図２４】図１９の処理の変形例に係るフローチャートである。
【図２５】図２４の処理で表示される操作ボタンを含む画面の一例を示す図である。
【図２６】図２０の処理の変形例に係るフローチャートである。
【符号の説明】
【００８７】
１０：路車間ＤＳＲＣシステム、１１：路側機、１２：サーバ、１３：自動車、１７：ＩＴＳ車載器、１８：ＤＳＲＣ部、１９：ナビ部、２０：ＩＴＳ通信網、２３：スクロールバー、１１１：制御部、１１２：ＲＯＭ、１１３：ＲＡＭ、１１４：記憶装置、１１５：無線通信部、１１６：通信制御部、１４１：表示部分、１４２：遷移ボタン、１５１：遷移ボタン、１６１：文字列、１６２：遷移ボタン、１７１：制御部、１７２：ＲＯＭ、１７３：ＲＡＭ、１７４：記憶装置、１７５：通信部、１７５ａ：ＧＰＳモジュール、１７５ｂ：ＤＳＲＣモジュール、１７６：操作部、１７７：表示部、１７８：マイク、１７９：スピーカ、１８０：音声処理部、１８１：センサ群、１８２：入出力装置、２２１：保存ボタン、２２２：戻りボタン、２２３：文字列、２２４：静止画、２５１：保存ボタン、２５２：戻りボタン、２５３：文字列、２５４：静止画。
【図１】
2010109485.tif 000003
【図２】
2010109485.tif 000004
【図３】
2010109485.tif 000005
【図４】
2010109485.tif 000006
【図５】
2010109485.tif 000007
【図６】
2010109485.tif 000008
【図７】
2010109485.tif 000009
【図８】
2010109485.tif 000010
【図９】
2010109485.tif 000011
【図１０】
2010109485.tif 000012
【図１１】
2010109485.tif 000013
【図１２】
2010109485.tif 000014
【図１３】
2010109485.tif 000015
【図１４】
2010109485.tif 000016
【図１５】
2010109485.tif 000017
【図１６】
2010109485.tif 000018
【図１７】
2010109485.tif 000019
【図１８】
2010109485.tif 000020
【図１９】
2010109485.tif 000021
【図２０】
2010109485.tif 000022
【図２１】
2010109485.tif 000023
【図２３】
2010109485.tif 000024
【図２２】
2010109485.tif 000025
【図２５】
2010109485.tif 000026
【図２４】
2010109485.tif 000027
【図２６】
2010109485.tif 000028